【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
回転型の操作摘みを含む操作部の画像データを表示させ、指定された目標ボリューム値に応じて、現在ボリューム値に対応する回転角度位置から前記目標ボリューム値に対応する回転角度位置まで、前記操作摘みを所定の速度及び所定の加速度のうち少なくとも一方に基づいて回転して表示させる表示制御手段と、
前記表示制御手段に表示された前記操作摘みの回転角度の位置に応じたボリューム値を出力する出力手段と
を具備する情報処理装置。
【請求項２】
請求項１に記載の情報処理装置であって、
前記出力手段は、前記ボリューム値として音量レベルを出力することを特徴とするボリューム制御装置。
【請求項３】
請求項２に記載の情報処理装置であって、
前記表示制御手段は、
前記現在ボリューム値が前記目標ボリューム値より低いときは、前記操作摘みを第１の速さで回転させ、前記現在ボリューム値が前記目標ボリューム値より高いときは、前記操作摘みを第１の速さより速い第２の速さで回転させる情報処理装置。
【請求項４】
請求項１に記載の情報処理装置であって、
前記操作摘みの回転角度位置に応じて前記目標ボリューム値を指定するための第１の領域と、前記目標ボリューム値を最小ボリューム値または最大ボリューム値に指定するための第２の領域とを、前記表示手段によって表示された前記画像データ上に設定する操作領域設定手段をさらに具備する情報処理装置。
【請求項５】
請求項１に記載の情報処理装置であって、
前記目標ボリューム値の指定を行うことができない制限領域を、前記表示手段によって表示された前記画像データ上に設定する制限領域設定手段をさらに具備する情報処理装置。
【請求項６】
請求項５に記載の情報処理装置であって、
前記制限領域設定手段は、前記操作摘みの中心から同心状に広がり、前記操作摘みより面積が小さい領域を、制限領域として設定する情報処理装置。
【請求項７】
請求項５に記載の情報処理装置であって、
前記操作摘みの回転角度位置に応じて前記目標ボリューム値を指定するための第１の領域と、前記目標ボリューム値を最大ボリューム値に指定するための、前記第１の領域に隣接する第２の領域と、前記目標ボリューム値を最小ボリューム値に指定するための、前記第１の領域に隣接する第３の領域とを、前記表示手段によって表示された前記画像データ上に設定する操作領域設定手段をさらに具備し、
前記制限領域設定手段は、前記第２の領域及び前記第３の領域に挟まれた領域を、前記制限領域として設定する情報処理装置。
【請求項８】
請求項１に記載の情報処理装置であって、
前記表示制御手段は、
前記現在ボリューム値に対応する回転角度位置から、前記操作摘みの中心位置と前記画像データ上で指定された位置とを結ぶ直線の角度に対応する回転角度位置まで、前記操作摘みを回転させることを特徴とするボリューム制御装置。
【請求項９】
請求項１に記載の情報処理装置であって、
前記目標ボリューム値が前記画像データ上でのドラッグ操作により指定される場合、前記ドラッグ操作の始点に対応する前記操作摘みの回転角度位置と、前記ドラッグ操作の終点に対応する前記操作摘みの回転角度位置との角度差を算出する算出手段をさらに具備し、
前記出力手段は、前記角度差に応じた前記ボリューム値の変化分を算出する情報処理装置。
【請求項１０】
請求項９に記載の情報処理装置であって、
前記表示制御手段は、
前記ドラッグ操作の終点位置が前記操作部より外側であった場合、前記操作摘みの中心位置と前記終点位置とを結ぶ直線の角度に対応する回転角度位置まで、前記操作摘みを回転させる情報処理装置。
【請求項１１】
請求項１０に記載の情報処理装置であって、
前記表示制御手段は、
前記ドラッグ操作に応じて移動するポインタを、前記操作摘み上であって前記直線上に位置させる情報処理装置。
【請求項１２】
指定された目標ボリューム値に応じて、現在ボリューム値が前記目標ボリューム値に達するまで所定の速度及び所定の加速度のうち少なくとも一方に基づいて前記現在ボリューム値を変化させるようにボリューム値を出力するボリューム信号出力手段と、
回転型の操作摘みを含む操作部の画像データを表示させ、前記ボリューム値の変化と連動して前記現在ボリューム値に対応する回転角度位置から前記目標ボリューム値に対応する回転角度位置まで、前記操作摘みを、所定の速度及び所定の角速度のうち少なくとも一方に基づいて回転して表示させる表示制御手段と
を具備する情報処理装置。
【請求項１３】
情報処理装置の表示制御手段により、回転型の操作摘みを含む操作部の画像データを表示し、
前記表示制御手段により、指定された目標ボリューム値に応じて、現在ボリューム値に対応する回転角度位置から前記目標ボリューム値に対応する回転角度位置まで、前記操作摘みを所定の速度及び所定の加速度のうち少なくとも一方に基づいて回転して表示し、
前記情報処理装置の出力手段により、前記表示制御手段に表示された前記操作摘みの回転角度の位置に応じたボリューム値を出力する
情報処理方法。
【請求項１４】
情報処理装置の表示制御手段により、回転型の操作摘みを含む操作部の画像データを表示し、
前記表示制御手段により、指定された目標ボリューム値に応じて、現在ボリューム値に対応する回転角度位置から前記目標ボリューム値に対応する回転角度位置まで、前記操作摘みを所定の速度及び所定の加速度のうち少なくとも一方に基づいて回転して表示し、
前記情報処理装置の出力手段により、前記表示制御手段に表示された前記操作摘みの回転角度の位置に応じたボリューム値を出力する
ことを前記情報処理装置に実行させるプログラム。
【手続補正２】
【補正対象書類名】明細書
【補正対象項目名】００３０
【補正方法】変更
【補正の内容】
【００３０】
オーディオ装置１００は、システムプロセッサ１０、入力機器１６用のインターフェース１５、表示コントローラ１３、オーディオデコーダ１７、ＤＡＣ（Digital to Analog Converter）１８等を備える。オーディオ装置１００は、他にも必要なＲＡＭ１１、ＲＯＭ１２、あるいは図示しないその他の記憶装置を備える。
【手続補正３】
【補正対象書類名】明細書
【補正対象項目名】００３１
【補正方法】変更
【補正の内容】
【００３１】
オーディオ装置１００は、ＤＳＤ（Direct Stream Digital）ユニット２０等を備える。図２は、ＤＳＤユニット２０の構成を示すブロック図である。ボリューム制御装置は、主にこのＤＳＤユニット２０により構成される。この例では、ＤＳＤユニット２０は、ソフトウェアで構成され、例えば、ＲＯＭ１２やその他の記憶装置に記憶される。ＤＳＤユニット２０は、例えば外部の音楽データ等を取り込み、ＤＳＤデータに変換したり、そのＤＳＤデータによる音楽データを再生したりする。ＤＳＤユニット２０は、その一部がハードウェアにより構成されていてもよい。
【手続補正４】
【補正対象書類名】明細書
【補正対象項目名】００３４
【補正方法】変更
【補正の内容】
【００３４】
表示コントローラ１３は、ディスプレイ１４の駆動を制御する。ディスプレイ１４は、液晶、ＥＬ（Electro-Luminescence）、ＣＲＴ（cathode ray tube）、あるいは、その他のディスプレイ等が挙げられる。
【手続補正５】
【補正対象書類名】明細書
【補正対象項目名】００４７
【補正方法】変更
【補正の内容】
【００４７】
ボリューム操作部３５には、回転型の操作摘み３６が設けられ、また、ボリュームを微調整するための−ボタン３７、＋ボタン３８が設けられている。操作摘み３６は、典型的には円形であるが、楕円形、あるいはこれに近い形状であってもよいし、あるいは多角形であってもよい。主に、上記システムプロセッサ１０、ＵＩレイヤ２１、表示コントローラ１３は、オーディオＵＩ３０の画像データ（特にボリューム操作部３５の画像データ）をディスプレイ１４に出力する画像出力手段として機能する。
【手続補正６】
【補正対象書類名】明細書
【補正対象項目名】００５１
【補正方法】変更
【補正の内容】
【００５１】
（１）６時の位置からの最小位置の角度をθminとする。  
（0≦θmin＜360）
（２）最小位置からの最大位置の角度をθmaxとする。  
（0＜θmax≦(360−θmin)）
（３）最小位置からの現在位置の角度をθcurとする。  
（θmin≦θcur≦θmax）
実際に出力されるボリューム値は、θcurの値で決定される。θcur =θminで出力されるボリューム値を最小、θcur =θmaxで出力されるボリューム値を最大とする。  
（４）ユーザにより入力機器１６を介して指定されたボリューム値（目標ボリューム値）に対応する操作摘み３６の回転角度位置をθtgt（目標位置）とする。  
（0≦θtgt≦θmax）。
【手続補正７】
【補正対象書類名】明細書
【補正対象項目名】００５３
【補正方法】変更
【補正の内容】
【００５３】
このように、オーディオ装置１００は、操作摘み３６の回転角度位置に応じたボリューム信号を出力するボリューム信号出力手段を備える。このボリューム信号出力手段は、主に、ＵＩレイヤ２１、プレイコントロール２２、システムプロセッサ１０、ボリュームコントローラ２８により構成される。
【手続補正８】
【補正対象書類名】明細書
【補正対象項目名】００６８
【補正方法】変更
【補正の内容】
【００６８】
上記（５）、（６）、（７）の条件より、クリック領域Ａは、すなわち操作摘み３６の回転角度位置に応じた目標ボリューム値である角度対応目標ボリューム値を指定するための領域であることが分かる。クリック領域Ｂは、操作摘み３６の回転角度位置に依らない目標ボリューム値である最小ボリューム値を指定するための領域である。クリック領域Ｃは、操作摘み３６の回転角度位置に依らない目標ボリューム値である最大ボリューム値を指定するための領域である。
【手続補正９】
【補正対象書類名】明細書
【補正対象項目名】００７１
【補正方法】変更
【補正の内容】
【００７１】
図１１及び１２では、クリック操作による目標ボリューム値の指定について説明した。次に、ユーザが、マウス操作のいわゆる「ドラッグ操作」により目標ボリューム値を指定する場合について説明する。
【手続補正１０】
【補正対象書類名】明細書
【補正対象項目名】００８２
【補正方法】変更
【補正の内容】
【００８２】
このような制限領域Ｇが設定されていることにより、次のようなメリットがある。図１４（Ｂ）に示すように、ユーザは、ボリュームを小さくしようとして、クリック領域Ａの最小位置付近Ｐ３をクリックしたつもりが、誤操作により、クリック領域Ａの最大位置付近Ｐ４をクリックしてまった場合等に有効である。この場合、これらのクリック操作は制限領域Ｇで制限されるので、誤操作を防止することができる。
【手続補正１１】
【補正対象書類名】明細書
【補正対象項目名】００９５
【補正方法】変更
【補正の内容】
【００９５】
クリックされた位置がクリック領域Ｃ上である場合（ステップ１０７のＹＥＳ）、システムプロセッサ１０は「θtgt'＝θmax」とし（ステップ１０８）、タイマーを開始する（ステップ１０９）。
【手続補正１２】
【補正対象書類名】明細書
【補正対象項目名】０１０５
【補正方法】変更
【補正の内容】
【０１０５】
ステップ２０２の後、「θtgt≦θcur」となった場合（ステップ２０３のＹＥＳ）、システムプロセッサ１０は、「θcur'＝θtgt」とし（ステップ２０４）、タイマーを停止する（ステップ２０５）。タイマーを停止すると、システムプロセッサ１０は、オーディオデコーダ１７から出力される実際のボリューム値を変更する（ステップ２０６）。変更後のボリューム値は、ボリューム信号としてボリュームコントローラ２８に出力され、スピーカ１９から出力されるボリュームが変化する。後述するが、システムプロセッサ１０は、典型的には125msごとに実際のボリューム値を変更するが、これに限られず、例えば上記一定時間の25msと合わせて適宜変更可能である。
【手続補正１３】
【補正対象書類名】明細書
【補正対象項目名】０１０９
【補正方法】変更
【補正の内容】
【０１０９】
ドラッグ操作（ムーブ操作）については、要するに、システムプロセッサ１０はカーソルＳの位置に追従するように、操作摘み３６を一定速度（または加速度を持って）で回転させる。
【手続補正１４】
【補正対象書類名】明細書
【補正対象項目名】０１２５
【補正方法】変更
【補正の内容】
【０１２５】
ユーザがクリック操作またはドラッグ操作においてボタンを押した時に、カーソルＳの位置が、クリック領域Ａ〜Ｃ上、またはドラッグ領域Ｄ〜Ｆであって、上記制限領域ＧまたはＨでない場合、ボリューム制御が有効な領域でクリック操作またはドラッグ操作が開始されたことを示すフラグを立てる（m_bCapture = true）。
【手続補正１５】
【補正対象書類名】図面
【補正対象項目名】図１６
【補正方法】変更
【補正の内容】
【図１６】
2008249973.tif 000001